(57)【特許請求の範囲】
【請求項１】
光源部が取り付けられた配線基板と、前記光源部からの光を透過させるレンズ部材とを含むインジケータ装置と、
前記インジケータ装置が取り付けられる電子機器の筐体とを備え、
前記レンズ部材は、前記配線基板の一方面を第１の方向に向かって押圧する第１押圧部を有し、
前記筐体は、前記配線基板の他方面を前記第１の方向とは反対方向の第２の方向に向かって押圧する第２押圧部を含み、
前記配線基板は、前記レンズ部材が前記筐体に取り付けられることによって、前記配線基板の光源部が前記レンズ部材に対して位置決めされた状態で前記配線基板が前記レンズ部材の第１押圧部と前記筐体の第２押圧部とにより挟持されることにより固定される、電子機器に対するインジケータ装置の取付構造。
【請求項２】
前記筐体の第２押圧部は、前記筐体と一体的に形成されたリブである、請求項１に記載の電子機器に対するインジケータ装置の取付構造。
【請求項３】
前記レンズ部材は、前記光源部からの光を透過させるための透過部を有し、
前記筐体の第２押圧部を構成するリブは、正面視で、前記透過部と重ならない位置に配置されている、請求項２に記載の電子機器に対するインジケータ装置の取付構造。
【請求項４】
前記筐体の第２押圧部を構成するリブは、正面視で、Ｌ字状に形成されているとともに、前記配線基板の角部近傍の２辺を押圧するように配置されている、請求項２または３に記載の電子機器に対するインジケータ装置の取付構造。
【請求項５】
前記レンズ部材の第１押圧部には、前記配線基板の位置を規制するための第１ボス部が設けられ、
前記配線基板は、前記レンズ部材の第１ボス部を挿入するための第１ボス挿入穴を有しており、
前記レンズ部材の第１ボス部が前記配線基板の第１ボス挿入穴に挿入されることにより、前記配線基板の光源部が前記レンズ部材に対して位置決めされた状態になるように構成されている、請求項１〜４のいずれか１項に記載の電子機器に対するインジケータ装置の取付構造。
【請求項６】
前記筐体は、前記レンズ部材を取り付けるための取付部をさらに含み、
前記筐体の取付部は、前記レンズ部材の位置を規制するための第２ボス部を有し、
前記レンズ部材は、前記筐体の取付部の第２ボス部が挿入される第２ボス部挿入穴を有している、請求項１〜５のいずれか１項に記載の電子機器に対するインジケータ装置の取付構造。
【請求項７】
前記筐体の取付部は、ネジ穴部をさらに有し、
前記レンズ部材は、前記筐体の取付部の第２ボス部が前記レンズ部材の第２ボス部挿入穴に挿入された状態で、ネジ部材を前記筐体のネジ穴部に締め付けることにより前記筐体に取り付けられている、請求項６に記載の電子機器に対するインジケータ装置の取付構造。
【請求項８】
前記電子機器は、ディスク装置を一体的に含むテレビジョン装置であり、
前記インジケータ装置は、前記テレビジョン装置の筐体に取り付けられるとともに、前記ディスク装置のインジケータとして用いられるように構成されている、請求項１〜７のいずれか１項に記載の電子機器に対するインジケータ装置の取付構造。
【発明の詳細な説明】
【技術分野】
【０００１】
この発明は、電子機器に対するインジケータ装置の取付構造に関し、特に、電子機器に対する配線基板を含むインジケータ装置の取付構造に関する。
【背景技術】
【０００２】
従来、筐体などに対する配線基板の取付構造が知られている（たとえば、特許文献１〜３参照）。
【０００３】
上記特許文献１には、パネル（筐体）に対する基板（配線基板）の取付構造が開示されている。この取付構造では、パネルの基板を取り付ける面には、上下方向に離間した一対の突起部が幅方向に所定の間隔を隔てて２組設けられている。これらの突起部は、それぞれ、上下方向に貫通するピン挿入穴を有しており、２つのピンをそれぞれ上下方向の一対の突起部に挿入可能に構成されている。また、基板は、幅方向に離間した突起部により幅方向に把持されるとともに、上下方向に離間した突起部により上下方向に把持されるような形状に形成されている。この基板は、パネルに取り付けられる際に、上下方向に離間した突起部間、および幅方向に離間した突起部間に基板を嵌め込むことにより突起部に把持され、この状態で、ピン挿入穴にピンを挿入することにより、ネジ部材を使うことなく、基板はパネルに取り付けられる。
【０００４】
また、上記特許文献２には、装置本体であるデッキ本体（電子機器）に対する基板（配線基板）の取付構造が開示されている。この取付構造では、デッキ本体の下面から下向きに互いに対向する逆Ｆ字状の一対の取付用脚部が設けられている。この逆Ｆ字状の取付用脚部は、下端部に下端係止片部を有し、下端部の上方に突出片部を有している。また、デッキ本体に取り付けられる基板には、取付用脚部に対応する位置に取付用脚部の下端係止片部が挿入可能な取付孔が設けられている。この基板の一対の取付孔に、デッキ本体の一対の取付用脚部の下端係止片部を挿入し、デッキ本体の下端係止片部と突出片部とにより基板を挟持することにより、ネジ部材を使うことなく、基板はデッキ本体に取り付けられる。
【０００５】
また、上記特許文献３には、画像表示用のパネルを固定するためのパネル固定板金に対するデジタル基板（配線基板）の取付構造が開示されている。この取付構造では、パネル固定板金に、幅方向に離間した位置に切り起こしにより形成された２対の折り返し片が設けられている。また、デジタル基板の両面には、パネル固定板金の折り返し片にデジタル基板を取り付けた際の折り返し片に対応する位置に半田盛が設けられている。このデジタル基板をパネル固定板金の２対の折り返し片に滑り込ませることにより、デジタル基板は、パネル固定板金と折り返し片とにより挟み込まれるとともに、デジタル基板の両面に設けられた半田盛がパネル固定板金と折り返し片とに当接することによって固定される。これにより、デジタル基板は、ネジ部材を使うことなく、パネル固定基板に取り付けられる。
【０００６】
【特許文献１】特開昭６２―２１９５９７号公報
【特許文献２】特開２００５−５３７４号公報
【特許文献３】特開２００７−１１６５５６号公報
【発明の開示】
【発明が解決しようとする課題】
【０００７】
しかしながら、上記特許文献１に記載の取付構造では、ネジ部材を使わずに基板をパネルに固定することが可能である一方、基板をパネルに固定するために固定用のピンが２本必要である。このため、部品点数が増加するという問題点がある。
【０００８】
また、上記特許文献２に記載の取付構造を用いて、インジケータ装置を取り付けると、デッキ本体に固定された配線基板とは別個に、レンズ部材を固定する必要がある。このように、配線基板とレンズ部材とが別々に固定される場合には、配線基板に取り付けられた光源部と、レンズ部材との位置関係を正確に維持することが困難になるという問題点がある。
【０００９】
また、上記特許文献３に記載の取付構造を用いて、インジケータ装置を取り付けると、パネル固定板金に固定された配線基板とは別個に、レンズ部材を固定する必要がある。このように、配線基板とレンズ部材とが別々に固定される場合には、配線基板に取り付けられた光源部と、レンズ部材との位置関係を正確に維持することが困難になるという問題点がある。
【００１０】
この発明は、上記のような課題を解決するためになされたものであり、この発明の１つの目的は、配線基板を固定するため専用のネジ部材が不要で、かつ、部品点数の増加を抑制しながら、配線基板の光源部とレンズ部材との位置関係を正確に維持することが可能な電子機器に対するインジケータ装置の取付構造を提供することである。
【課題を解決するための手段および発明の効果】
【００１１】
この発明の一の局面による電子機器に対するインジケータ装置の取付構造は、光源部が取り付けられた配線基板と、光源部からの光を透過させるレンズ部材とを含むインジケータ装置と、インジケータ装置が取り付けられる電子機器の筐体とを備えている。そして、レンズ部材は、配線基板の一方面を第１の方向に向かって押圧する第１押圧部を有し、筐体は、配線基板の他方面を第１の方向とは反対方向の第２の方向に向かって押圧する第２押圧部を含み、配線基板は、レンズ部材が筐体に取り付けられることによって、配線基板の光源部がレンズ部材に対して位置決めされた状態で、配線基板がレンズ部材の第１押圧部と筐体の第２押圧部とにより挟持されることにより固定される。
【００１２】
この一の局面による電子機器に対するインジケータ装置の取付構造では、上記のように、レンズ部材を筐体に取り付けることにより、レンズ部材の第１押圧部が配線基板の一方面を第１の方向に押圧するとともに、筐体の第２押圧部が配線基板の他方側面を第２の方向に押圧することにより、インジケータ装置の配線基板が挟持されて固定されるように構成することによって、配線基板を固定するための専用のネジ部材を用いることなく、配線基板を筐体に取り付けることができるので、その分、部品点数を削減することができる。また、配線基板の光源部がレンズ部材に対して位置決めされた状態で配線基板がレンズ部材の第１押圧部と筐体の第２押圧部とにより挟持されて固定されることによって、レンズ部材と配線基板の光源部との位置関係を正確に維持した状態で配線基板を固定することができる。これにより、光源部とレンズ部材との位置ずれに起因するインジケータ装置の表示性能の低下を抑制することができる。
【００１３】
上記一の局面による電子機器に対するインジケータ装置の取付構造において、好ましくは、筐体の第２押圧部は、筐体と一体的に形成されたリブである。このように構成すれば、第２押圧部を筐体とは別部材で設ける場合と比べて、部品点数を削減することができる。
【００１４】
この場合、好ましくは、レンズ部材は、光源部からの光を透過させるための透過部を有し、筐体の第２押圧部を構成するリブは、正面視で、透過部と重ならない位置に配置されている。このように構成すれば、光源部からの光がレンズ部材の透過部を透過する際に、筐体の第２押圧部を構成するリブによって遮光されることを抑制することができる。これにより、第２押圧部を構成するリブに起因して、インジケータ装置による光源部からの光の表示性能が低下するのを抑制することができる。
【００１５】
上記筐体の第２押圧部がリブである電子機器に対するインジケータ装置の取付構造において、好ましくは、筐体の第２押圧部を構成するリブは、正面視で、Ｌ字状に形成されているとともに、配線基板の角部近傍の２辺を押圧するように配置されている。このように構成すれば、配線基板の２辺を押圧するＬ字状のリブにより、配線基板をより安定して固定することができる。また、第２押圧部を構成するリブを配線基板の角部近傍を押圧するように構成することによって、配線基板が有する配線などを避ける位置で配線基板を押圧することができる。
【００１６】
上記一の局面による電子機器に対するインジケータ装置の取付構造において、好ましくは、レンズ部材の第１押圧部には、配線基板の位置を規制するための第１ボス部が設けられ、配線基板は、レンズ部材の第１ボス部を挿入するための第１ボス挿入穴を有しており、レンズ部材の第１ボス部が配線基板の第１ボス挿入穴に挿入されることにより、配線基板の光源部がレンズ部材に対して位置決めされた状態になるように構成されている。このように構成すれば、配線基板の光源部がレンズ部材に対して位置決めされた状態で、配線基板を固定することができる。
【００１７】
上記一の局面による電子機器に対するインジケータ装置の取付構造において、好ましくは、筐体は、レンズ部材を取り付けるための取付部をさらに含み、筐体の取付部は、レンズ部材の位置を規制するための第２ボス部を有し、レンズ部材は、筐体の取付部の第２ボス部が挿入される第２ボス部挿入穴を有している。このように構成すれば、レンズ部材を筐体に取り付ける際に、レンズ部材の第２ボス挿入穴に、筐体の取付部の第２ボス部を挿入することにより、容易に、レンズ部材の筐体に対する位置決めを行うことができる。これにより、レンズ部材を筐体に取り付ける作業が複雑化するのを抑制することができる。
【００１８】
上記筐体が取付部を含む電子機器に対するインジケータ装置の取付構造において、好ましくは、筐体の取付部は、ネジ穴部をさらに有し、レンズ部材は、筐体の取付部の第２ボス部がレンズ部材の第２ボス部挿入穴に挿入された状態で、ネジ部材を筐体のネジ穴部に締め付けることにより筐体に取り付けられている。このように構成すれば、レンズ部材の第２ボス挿入穴と筐体の取付部の第２ボス部とにより、レンズ部材の筐体に対する位置決めを行いながら、ネジ部材により、レンズ部材を筐体に対して強固に固定することができる。  
【００１９】
上記一の局面による電子機器に対するインジケータ装置の取付構造において、好ましくは、電子機器は、ディスク装置を一体的に含むテレビジョン装置であり、インジケータ装置は、テレビジョン装置の筐体に取り付けられるとともに、ディスク装置のインジケータとして用いられるように構成されている。このようにディスク装置を一体的に備えたテレビジョン装置のインジケータ装置に本発明を適用すると、インジケータ装置がテレビジョン装置の筐体に取り付けられた際に、配線基板の光源部とレンズ部材との位置関係が正確に維持されるので、ディスク装置のインジケータとしての表示性能が低下するのを抑制することができる。
【発明を実施するための最良の形態】
【００２０】
以下、本発明を具体化した実施形態を図面に基づいて説明する。
【００２１】
図１は、本発明の一実施形態によるインジケータ装置を備えたディスク装置付きテレビジョン装置の全体構造を示した斜視図である。また、図２は、図１のディスク装置付きテレビジョン装置のインジケータ装置とインジケータ装置周辺とを拡大した正面図である。図３〜図１０は、図１に示した本発明の一実施形態によるインジケータ装置とインジケータ装置を備えるディスク装置付きテレビジョン装置との構造を示した図である。まず、図１〜図１０を参照して、本発明の一実施形態によるインジケータ装置１０を備えるディスク装置付きテレビジョン装置１の構成について説明する。なお、本実施形態では、テレビジョン装置の一例であるディスク装置付きテレビジョン装置１に本発明を適用した場合について説明する。
【００２２】
本発明の一実施形態によるディスク装置付きテレビジョン装置１は、図１に示すように、映像を表示するための液晶パネル２を備えている。また、液晶パネル２は、前部筐体３ａと後部筐体３ｂとから構成される筐体３により支持されている。また、前部筐体３ａには、図１および図２に示すように、液晶パネル２の下に設けられ、ディスクを挿入するためのディスク挿入口４と、ディスク挿入口４の下方に設けられ、後述するインジケータ装置１０の表示部２０が挿入される表示部挿入口５が形成されている。
【００２３】
また、図３に示すように、前部筐体３ａの背面には、後述する発光ダイオード素子３２（以下ＬＥＤ３２という）（図８参照）からの光を表示するためのインジケータ装置１０が設けられている。このインジケータ装置１０は、表示部挿入口５に挿入される表示部２０（図２参照）を有する透光性の樹脂製のレンズ１１と、ＬＥＤ３２と、ＬＥＤ３２（図８参照）が取り付けられる配線基板３１とを含んでいる。なお、レンズ１１は、本発明の「レンズ部材」の一例である。
【００２４】
ここで、本実施形態では、図３および図４に示すように、前部筐体３ａの背面には、レンズ１１（図３参照）を前部筐体３ａに取り付けるための一対の筐体側取付部６がＸ方向に所定の間隔を隔てて設けられている。この一対の筐体側取付部６は、図４に示すように、上部に形成されるとともに、筐体側ボス部６ａを有する円柱状の上部取付部６ｂと、下部に形成されるとともに、ネジ穴６ｃを有する円柱状の下部取付部６ｄと、上部取付部６ｂと下部取付部６ｄとを接続する接続部６ｅとから構成されている。一対の上部取付部６ｂの筐体側ボス部６ａは、レンズ１１（図３参照）の位置を規制するために設けられ、下部取付部６ｄのネジ穴６ｃは、レンズ１１（図３参照）を取り付けるために設けられている。なお、筐体側取付部６は、本発明の「取付部」の一例であり、筐体側ボス部６ａは、本発明の「第２ボス部」の一例である。また、ネジ穴６ｃは、本発明の「ネジ穴部」の一例である。
【００２５】
また、本実施形態では、図３および図４に示すように、前部筐体３ａの背面には、Ｘ方向に所定の距離隔てた位置に前部筐体３ａと一体的に形成された一対のリブ７が設けられている。このリブ７は、配線基板３１（図３参照）の下方（図３の矢印Ｚ２方向）の両角部近傍に当接し、配線基板３１（図３参照）の幅方向（Ｘ方向）の側辺と下辺とを、矢印Ｙ２方向に押圧するためにＬ字形状を有している。なお、リブ７は、本発明の「第２押圧部」の一例である。
【００２６】
また、図５〜図７に示すように、レンズ１１は、幅方向（Ｘ方向）の両外側に設けられた一対の脚部１２を有している。また、レンズ１１は、図５および図６に示すように、この一対の脚部１２から前後方向（Ｙ方向）の後方向（矢印Ｙ２方向）に突出するように形成された突出部１３と、突出部１３の端部から幅方向（Ｘ方向）の外側に向かって突出するように設けられたレンズ側取付部１４とをさらに有している。この一対のレンズ側取付部１４は、レンズ１１を前部筐体３ａ（図３参照）の筐体側取付部６に取り付けるために設けられている。また、レンズ側取付部１４の上部には、筐体側取付部６の上部取付部６ｂの筐体側ボス部６ａに挿入され、レンズ１１の筐体前部３ａに対する位置決めを行うためのレンズ側ボス挿入穴１４ａが設けられている。また、レンズ側取付部１４の下部には、筐体側取付部６の下部取付部６ｄのネジ穴６ｃに対応する位置に、ネジ挿入穴１４ｂが設けられている。なお、レンズ側ボス挿入穴１４ａは、本発明の「第２ボス部挿入穴」の一例である。
【００２７】
また、本実施形態では、図５および図６に示すように、一対の突出部１３には、それぞれ、脚部１２とレンズ側取付部１４との間から幅方向（Ｘ方向）の内側に向かって突出するように形成された基板押圧部１５が設けられている。この一対の基板押圧部１５は、配線基板３１（図３参照）を取り付けるために設けられている。この基板押圧部１５は、図６に示すように、前部筐体３ａ（図３参照）の前面側（矢印Ｙ１方向）に突出するように設けられ、配線基板３１（図３参照）を仮固定するためのレンズ側ボス部１５ａを有している。なお、基板押圧部１５は、本発明の「第１押圧部」の一例であり、レンズ側ボス部１５ａは、本発明の「第１ボス部」の一例である。
【００２８】
また、図６に示すように、レンズ１１の一対の脚部１２の間には、Ｗ字形状の垂直導光部１６と、水平導光部１７とからなる導光部１８が設けられている。なお、導光部１８は、本発明の「透過部」の一例である。また、垂直導光部１６と水平導光部１７との接合部には、下方から照射されるＬＥＤ３２（図８参照）の光を前後方向（Ｙ方向）の前方向（矢印Ｙ１方向）に反射させるための前方反射部１９が設けられている。この前方反射部１９は、前方（矢印Ｙ１方向）に向かって斜め４５度に傾斜する傾斜面１９ａにより構成されている。また、図５に示すように、水平導光部１７の前端部には、ＬＥＤ３２（図８参照）からの光を表示するための表示部２０が設けられている。この表示部２０の前端面は、微細な凹凸形状を有している。
【００２９】
また、本実施形態では、図５〜図７に示すように、Ｗ字形状の垂直導光部１６の中央部の凹状部には、ＬＥＤ３２（図８参照）を配置するためのＬＥＤ配置部２１が設けられている。また、垂直導光部１６は、ＬＥＤ配置部２１から幅方向の両外側に向かって延びるように形成された、一対の平坦部２２を有している。また、垂直導光部１６には、一対の平坦部２２から外側斜め上方向に向かって前方反射部１９の端部近傍まで延びるように形成された傾斜部２３ａを有する一対の上方反射部２３が設けられている。この上方反射部２３は、ＬＥＤ３２（図８参照）からの光を上方向に反射させるために設けられている。また、上方反射部２３の傾斜部２３ａは、図７に示すように、垂直方向に対して若干（数度）外側斜め上方向に延びる段差部２３ｂと、水平方向に対して若干（数度）外側斜め上方向に延びる段差部２３ｃとから成る段差形状を有している。また、最も内側（平坦部２２側）に設けられた段差部２３ｄから最も外側（脚部１２側）に設けられた段差部２３ｅの間に設けられている段差部は、同じ形状になるように形成されている。このように形成されることにより、上方反射部２３により反射した反射光は、表示部２０に段差部２３ｂの数だけ光点として表示される。
【００３０】
また、図８および図９に示すように、配線基板３１の表側（奥行き方向の前側（図９の矢印Ｙ１方向））の実質的に中央部には、ＬＥＤ３２が取り付けられている。なお、ＬＥＤ３２は、本発明の「光源部」の一例である。また、ＬＥＤ３２を配線基板３１に電気的に接続するための一対の半田部３３が設けられている。また、図８および図９示すように、配線基板３１の後面（図９の矢印Ｙ２方向））には、ＬＥＤ３２に電源を供給するためのリード線３４とソケット３５とが取り付けられている。また、図８〜図１０に示すように、配線基板３１の両端部近傍には、レンズ１１の基板押圧部１５（図９および図１０参照）のレンズ側ボス部１５ａ（図９および図１０参照）に挿入される基板側ボス挿入穴３１ａが設けられている。なお、基板側ボス挿入穴３１ａは、本発明の「第１ボス部挿入穴」の一例である。
【００３１】
図１１は、本発明の一実施形態によるディスク装置付きテレビジョン装置の前部筐体にインジケータ装置を取り付ける手順を説明するための分解斜視図である。また、図１２は、本発明の一実施形態によるディスク装置付きテレビジョン装置の前部筐体にインジケータ装置を取り付けた状態の断面図である。次に、図９〜図１２を参照して、本発明の一実施形態によるディスク装置付きテレビジョン装置１の前部筐体３ａにインジケータ装置１０を取り付ける手順について説明する。
【００３２】
まず、図９〜図１１に示すように、レンズ１１の一対の基板押圧部１５の一対のレンズ側ボス部１５ａを、配線基板３１の一対の基板側ボス挿入穴３１ａに、それぞれ、挿入することによって、配線基板３１は、レンズ１１に仮固定される。具体的には、図１０に示すように、配線基板３１がレンズ１１に取り付けられた際に、レンズ１１の基板押圧部１５の前側（矢印Ｙ１方向側）で、かつ、Ｗ字形状の垂直導光部１６の後側（矢印Ｙ２方向側）に配置される。すなわち、配線基板３１は、基板押圧部１５のレンズ側ボス部１５ａに配線基板３１の基板側ボス挿入穴３１ａが挿入された状態で、平面的に見て、基板押圧部１５と垂直導光部１６との間に配置される。これにより、垂直導光部１６により、配線基板３１が基板押圧部１５のレンズ側ボス部１５ａから外れる方向に移動するのが抑制されるので、配線基板３１は、レンズ１１に対して仮固定された状態となる。また、配線基板３１の基板側ボス挿入穴３１ａが基板押圧部１５のレンズ側ボス部１５ａに挿入されることによって、レンズ１１に対する配線基板３１の位置決めが行われるので、図１０に示すように、ＬＥＤ３２は、レンズ１１のＷ字形状の垂直導光部１６の中央部に設けられているＬＥＤ配置部２１の中央部に配置された状態になる。
【００３３】
次に、図１１に示すように、レンズ１１の表示部２０を前部筐体３ａの表示部挿入口６に挿入し、同時に、レンズ１１の一対のレンズ側取付部１４のレンズ側ボス挿入穴１４ａに前部筐体３ａの一対の筐体側取付部６の筐体側ボス部６ａを、それぞれ挿入する。これにより、前部筐体３ａに対するレンズ１１および配線基板３１の位置決めが行われる。この際に、図３に示すように、配線基板３１は、前部筐体３ａの一対のＬ字形状のリブ７によって、配線基板３１の前面の両側辺に沿った部分および下辺の側辺近傍部分に当接される。これにより、配線基板３１は、リブ７によって後方（図１１の矢印Ｙ２方向）に向かって押圧される。次に、レンズ１１の一対のレンズ側取付部１４のネジ挿入穴１４ｂにネジ４０を挿入した状態で、前部筐体３ａの一対のネジ穴７ｂに締め付ける。これにより、図１２に示すように、前部筐体３ａにインジケータ装置１０が取り付けられるとともに、配線基板３１は、前部筐体３ａのリブ７により後方（矢印Ｙ２方向）に押圧されるとともに、レンズ１１の基板押圧部１５により前方（矢印Ｙ１方向）に押圧されることにより、前面と後面との両面を押圧される。その結果、配線基板３１は、前部筐体３ａのリブ７と、レンズ１１の基板押圧部１５とにより挟み込まれることによって固定されることが可能であるので、配線基板３１をネジ部材を使うことなく固定することが可能となる。このようにして、インジケータ装置１０は、前部筐体３ａに取り付けられる。
【００３４】
本実施形態では、上記のように、レンズ１１を前部筐体３ａに取り付けることにより、レンズ１１の基板押圧部１５が配線基板３１の後面を前方向（矢印Ｙ１方向）に押圧するとともに、前部筐体３ａのリブ７が配線基板３１の前面を後方向（矢印Ｙ２方向）に押圧することにより、インジケータ装置１０の配線基板３１が挟持されて固定されるように構成することによって、配線基板３１を固定するための専用のネジ部材を用いることなく、配線基板３１を前部筐体３ａに取り付けることができるので、その分、部品点数を削減することができる。また、配線基板３１のＬＥＤ３２がレンズ１１に対して位置決めされた状態で配線基板３１がレンズ１１の基板押圧部１５と前部筐体３ａのリブ７とにより挟持されて固定されることによって、レンズ１１と配線基板３１のＬＥＤ３２との位置関係を正確に維持した状態で配線基板３１に固定することができる。これにより、ＬＥＤ３２とレンズ１１との位置ずれに起因するインジケータ装置１０の表示性能の低下を抑制することができる。
【００３５】
また、本実施形態では、上記のように、前部筐体３ａのリブ７を、前部筐体３ａと一体的に形成することによって、リブ７を前部筐体３ａとは別部材で設ける場合と比べて、部品点数を削減することができる。
【００３６】
また、本実施形態では、上記のように、レンズ１１は、ＬＥＤ３２からの光を透過させるための導光部１８を有し、前部筐体３ａのリブ７を、正面視で、透過部１８と重ならない位置に配置することによって、ＬＥＤ３２からの光がレンズ１１の導光部１８を透過する際に、前部筐体３ａのリブ７によって遮光されることを抑制することができる。これにより、リブ７に起因して、インジケータ装置１０の表示部２０によるＬＥＤ３２からの光の表示性能が低下するのを抑制することができる。
【００３７】
また、本実施形態では、上記のように、前部筐体３ａのリブ７を、正面視で、Ｌ字状に形成するとともに、記配線基板３１の角部近傍の２辺を押圧するように配置することによって、配線基板３１の２辺を押圧するＬ字状のリブ７により、配線基板３１の幅方向（Ｘ方向）の側辺と下辺とを押圧することができるので、配線基板３１をより安定して固定することができる。また、リブ７を配線基板３１の角部近傍を押圧するように構成することによって、配線基板３１が有する配線などを避ける位置で配線基板３１を押圧することができる。
【００３８】
また、本実施形態では、上記のように、レンズ１１の基板押圧部１５に、配線基板３１の位置を規制するためのレンズ側ボス部１５ａを設け、配線基板３１に、レンズ１１のレンズ側ボス部１５ａを挿入するための基板側基板側ボス挿入穴３１ａを有するように構成するとともに、レンズ１１のレンズ側ボス部１５ａが配線基板３１の基板側ボス挿入穴３１ａに挿入されることにより、配線基板３１のＬＥＤ３２がレンズ１１に対して位置決めされた状態になるように構成することによって、配線基板３１のＬＥＤ３２がレンズ１１に対して位置決めされた状態で、配線基板３１を固定することができる。
【００３９】
また、本実施形態では、上記のように、前部筐体３ａに、レンズ１１を取り付けるための筐体側取付部６をさらに設け、前部筐体３ａの筐体側取付部６は、レンズ１１の位置を規制するための筐体側ボス部６ａを有し、レンズ１１は、前部筐体３ａの筐体側取付部６の筐体側ボス部６ａが挿入されるレンズ側ボス挿入穴１４ａを有するように構成することによって、レンズ１１を前部筐体３ａに取り付ける際に、レンズ１１のレンズ側取付部１４のレンズ側ボス挿入穴に１４ａに、前部筐体３ａの筐体側取付部６の筐体側ボス部６ａを挿入することにより、容易に、レンズ１１の前部筐体３ａに対する位置決めを行うことができる。これにより、レンズ１１を前部筐体３ａに取り付ける作業が複雑化するのを抑制することができる。
【００４０】
また、本実施形態では、上記のように、前部筐体３ａの筐体側取付部６は、ネジ穴６ｃをさらに有し、レンズ１１は、前部筐体３ａの筐体側取付部６の筐体側ボス部６ａがレンズ１１のレンズ側取付部１４のレンズ側ボス挿入穴１４ａに挿入された状態で、ネジ４０を前部筐体３ａの筐体側取付部６のネジ穴６ｃに締め付けることにより前部筐体３ａに取り付けられるように構成することによって、レンズ１１のレンズ側取付部１４のレンズ側ボス挿入穴１４ａと前部筐体３ａの筐体側取付部６の筐体側ボス部６ａとにより、レンズ１１の前部筐体３ａに対する位置決めを行いながら、ネジ４０により、レンズ１１を前部筐体３ａに対して強固に固定することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、インジケータ装置を備える電子機器の一例としてディスク装置付きテレビジョン装置を示したが、本発明はこれに限らず、インジケータ装置を配置できる電子機器であれば、画像表示装置、録画再生機器、ステレオ、ＰＣ（Ｐｅｒｓｏｎａｌ Ｃｏｍｐｕｔｅｒ）などについても適用可能である。
【００４３】
また、上記実施形態では、配線基板を押圧するための筐体に設けられるリブを、配線基板の２辺に当接するようにＬ字状とする例を示したが、本発明はこれに限らず、配線基板の配線が配置されていない外周部近傍に当接するような形状を形成してもよい。たとえば、上辺と側辺と下辺とに当接するようにＵ字状に形成すれば、筐体のリブは、配線基板を３辺に当接し、後方に押圧することができるので、より安定して配線基板を固定することができる。
【００４４】
また、上記実施形態では、レンズと筐体とを固定するための締結部品をネジとする例を示したが、本発明はこれに限らず、リベットなどのネジによる螺合とは異なる締結方法を用いてレンズと筐体とを固定してもよい。
【図面の簡単な説明】
【００４５】
【図１】本発明の一実施形態によるインジケータ装置を備えたディスク装置付きテレビジョン装置の全体構造を示した斜視図である。
【図２】本発明の一実施形態によるディスク装置付きテレビジョン装置のインジケータ装置周辺の構造を示した拡大正面図である。
【図３】図１に示した一実施形態によるディスク装置付きテレビジョン装置の前部筐体とインジケータ装置との背面図である。
【図４】図３に示した一実施形態による前部筐体の背面の構造を示した斜視図である。
【図５】図３に示した一実施形態によるインジケータ装置のレンズの構造を示した斜視図である。
【図６】図３に示した一実施形態によるインジケータ装置のレンズの構造を示した斜視図である。
【図７】図３に示した一実施形態によるインジケータ装置のレンズの構造を示した背面図である。
【図８】図３に示した一実施形態によるインジケータ装置の基板部の構造を示した正面図である。
【図９】図３に示した一実施形態によるインジケータ装置の構造を示した斜視図である。
【図１０】図３に示した一実施形態によるインジケータ装置の構造を示した底面図である。
【図１１】図１に示した一実施形態によるディスク装置付きテレビジョン装置の前部筐体とインジケータ装置との組み付け方法を示した分解斜視図である。
【図１２】図１に示した一実施形態によるディスク装置付きテレビジョン装置の前部筐体とインジケータ装置との構造を説明するための図３の１００−１００線に沿った断面図である。
【符号の説明】
【００４６】
１  ディスク装置付きテレビジョン装置（テレビジョン装置）
３  筐体
６  筐体側取付部（取付部）
６ａ  筐体側ボス部（第２ボス部）
６ｃ  ネジ穴（ネジ穴部）
７  リブ（第２押圧部）
１０  インジケータ装置
１１  レンズ（レンズ部材）
１４ａ  レンズ側ボス挿入穴（第２ボス部挿入穴）
１５  基板押圧部（第１押圧部）
１５ａ  レンズ側ボス部（第１ボス部）
１８  導光部（透過部）
３１  配線基板
３１ａ  基板側ボス挿入穴（第１ボス部挿入穴）
３２  発光ダイオード素子（ＬＥＤ）（光源部）
【図１】
0004321634.tif 000002
【図２】
0004321634.tif 000003
【図３】
0004321634.tif 000004
【図４】
0004321634.tif 000005
【図５】
0004321634.tif 000006
【図６】
0004321634.tif 000007
【図７】
0004321634.tif 000008
【図８】
0004321634.tif 000009
【図９】
0004321634.tif 000010
【図１０】
0004321634.tif 000011
【図１１】
0004321634.tif 000012
【図１２】
0004321634.tif 000013